(57)【要約】    【課題】この発明は、部品点数が少なく、しかも安定してグランド信号を伝達することがでる電気コネクタを提供する。      【解決手段】電気コネクタ１０の金属シェル１３に、相手側コネクタ２０の金属シェル２４と接触する接触バネ１４を一体に形成するようにした。    【選択図】  図５
2006172824.tif 000002
【特許請求の範囲】
【請求項１】
導電端子を配設した絶縁ハウジングと、該絶縁ハウジングを囲繞する金属シェルとを少なくとも具えた電気コネクタにおいて、
前記金属シェルに、相手側コネクタの金属シェルと接触する接触バネを一体に形成するようにしたことを特徴とする電気コネクタ。
【請求項２】
前記接触バネと前記導電端子とは互いに対向する位置に形成されていることを特徴とする請求項１に記載の電気コネクタ。
【請求項３】
前記接触バネの先端は二股状に形成されていることを特徴とする請求項１又は請求項２に記載の電気コネクタ。
【発明の詳細な説明】
【技術分野】
【０００１】
この発明は、基板とケーブル等とを電気的に連結する電気コネクタに関し、特に高速伝送用中継コネクタとして使用され、かつ電磁波による中継部分の障害防止機能を具えた電気コネクタに関する。
【背景技術】
【０００２】
従来から、コンピュータあるいは携帯電話等の電子機器内にはケーブルと基板とを電気的に接続する装置として電気コネクタが使用されている。
【０００３】
特に高速伝送用中継コネクタとして使用され、かつ電磁波による中継部分の障害防止機能を具えた電気コネクタとして、シールド機能を有する金属シェルを具えた電気コネクタが知られている。
【０００４】
図６は上述したシールド機能を有する金属シェルを具えた従来の電気コネクタ１の要部断面図で、特に図示せぬ相手側のプラグコネクタが電気的に接続されるソケットコネクタを示している。
【０００５】
この電気コネクタ１は図面に垂直な方向に沿って所定のピッチで配設された複数本の導電端子２と、この導電端子２を位置決め収容した絶縁ハウジング３と、この絶縁ハウジング３の周囲を覆うように配設されたシールド機能を有する金属シェル４とから構成されている。
【０００６】
また上述した絶縁ハウジング３内には、図示せぬ相手側プラグコネクタの金属シェルと接続するため、独立した別部材である金属製のグランドプレート５が配設されている。
【０００７】
なお、このグランドプレート５と前記金属シェル４とは電気的に接触しており、相手側プラグコネクタの金属シェルから前記グランドプレート５に伝達されたグランド信号は、電気的に接触した前記金属シェル４を介し基板のグランド接続端子等へ伝達されるようになっている。
【０００８】
なお、図６で符号７は図示せぬ相手側プラグコネクタが嵌合する嵌合孔で、前記導電端子２の接点２ａと前記グランドプレート５の接点５ａはいずれも前記嵌合孔７内に突出している。
【０００９】
なお、上述した独立した別部材であるグランドプレートを有する従来の金属シェルを具えた電気コネクタは特許第３４５１３９３号にも記載されている。
【特許文献１】特許第３４５１３９３号
【発明の開示】
【発明が解決しようとする課題】
【００１０】
ところで、上述した従来の電気コネクタ１によると、グランド信号を伝達するグランドプレート５を独立部品として製造し、これを使用するため、電気コネクタ１全体としての部品点数が多く、このため製造工程も煩雑となってコストアップの要因となっていた。また、グランドプレート５と金属シェル４とは電気的に接触する構造であるから接触不良等が起き易く、このためグランド信号が安定して伝達できない虞もある。
【００１１】
この発明は、上述した事情に鑑み、部品点数が少なく、しかも安定してグランド信号を伝達することがでる電気コネクタを提供することを目的とする。
【課題を解決するための手段】
【００１２】
上述した課題を解決するため、この発明では、導電端子を配設した絶縁ハウジングと、該絶縁ハウジングを囲繞する金属シェルとを少なくとも具えた電気コネクタにおいて、前記金属シェルに相手側コネクタの金属シェルと接触する接触バネを一体に形成するようにしている。
【発明の効果】
【００１３】
上述した、本願発明に係る電気コネクタによると、相手側コネクタの金属シェルと接触してグランド信号を伝達するグランドプレートとしての機能を、金属シェルと一体に形成された接触バネにより行なうようにしたから、全体としての部品点数が少なくなり、このため製造工程を減少して安価に電気コネクタを提供することが出来る。また接触バネが金属シェルと一体に形成されているから接触不良もなく、グランド信号を安定して金属シェルに伝達することも出来る。  
【発明を実施するための最良の形態】
【００１４】
以下、この発明に係る電気コネクタの一実施例を詳述する。
【００１５】
図１はこの発明に係る電気コネクタ１０の概念斜視図である。
【００１６】
なおこの電気コネクタ１０も後述する相手側のプラグコネクタが電気的に接続されるソケットコネクタを示している。
【００１７】
この電気コネクタ１０も従来と同様に長手方向に沿って所定のピッチで配設された複数本の導電端子１１と、この導電端子１１を位置決め収容した矩形状の絶縁ハウジング１２と、この絶縁ハウジング１２の周囲を覆うように配設されたシールド機能を有する金属シェル１３とから構成されている。
【００１８】
一方、上述した金属シェル１３は、ハウジング１２を除いた概念斜視図で示す図２のように全体が矩形状で、かつ環状に形成されている。
【００１９】
そして、正面１３ａの下面には、当該金属シェル１３と一体に後述する相手側コネクタの金属シェルと接触する接触バネ１４が所定のピッチで複数個（実施例では３個）形成されている。
【００２０】
この接触バネ１４は上下方向へ向け弾性的に変位することができる舌片１４ａにより形成され、その先端１４ｂは後述する相手側コネクタの金属シェルとの接触をより一層確実にするため二股状になっている。
【００２１】
また、電気コネクタ１０の正面図で示す図３のように、接触バネ１４は上方に位置する導電端子１１と対向する位置に形成されており、このため後述する相手側コネクタを導電端子１１と接触バネ１４との間、即ち嵌合部１７の間で挟持する構造となっている。
【００２２】
また、図２で示すように、前記接触バネ１４に隣接する位置の金属シェル１３には相手側コネクタの嵌挿を容易にするとともに、金属シェル１３の断面係数を高めてその剛性を向上させる湾曲した舌片１５が複数個形成され、またこの舌片１５間には、図示せぬ基板側のグランド端子と接続するグランド端子１６が形成されている。
【００２３】
なお、金属シェル１３の両側方にも図示せぬ基板のグランド端子と接続する矩形状のグランド端子１８が形成されている。
【００２４】
なお、図４は図３のＸＸ線拡大断面図である。
【００２５】
この図４に示す位置から図５で示すように、相手側コンタクト、即ち相手側のプラグコネクタ２０を嵌合部１７内に嵌装して接続させると、その導電端子である同軸ケーブル２１の中心導体２２が導電端子１１の接続端子１１ａと接触し、また金属シェル１３の接触バネ１４が同軸ケーブル２１の外部導体２３と接触した金属シェル２４に圧接して接触することとなる。
【００２６】
したがって、相手側のプラグコネクタ２０の嵌合片２５およびその上下面に配設された中心導体２２と金属シェル２４は、導電端子１１と接触バネ１４との間に挟持され、このため接触バネ１４の弾性定数を適宜設定すれば、相手側のプラグコネクタ２０の金属シェル２４との接触圧を最適に設定して安定したグランド信号伝達を行なうことが出来る。  
【産業上の利用可能性】
【００２７】
この発明は、部品点数が少なく、しかも安定してグランド信号を伝達する電気コネクタに適している。    
【図面の簡単な説明】
【００２８】
【図１】図１はこの発明に係る電気コネクタの概念斜視図。
【図２】図２はこの発明に係る金属シェルの概念断面図。
【図３】図３はこの発明に係る電気コネクタの正面図。
【図４】図４は図３のＸＸ線断面図。
【図５】図５は相手側コネクタと接続した状態を示す本願発明に係る電気コネクタの断面図。
【図６】図６は従来の電気コネクタの要部断面図である。
【符号の説明】
【００２９】
１０…電気コネクタ
１１…導電端子
１２…絶縁ハウジング
１３…金属シェル
１４…接触バネ
【図１】
2006172824.tif 000003
【図２】
2006172824.tif 000004
【図３】
2006172824.tif 000005
【図４】
2006172824.tif 000006
【図５】
2006172824.tif 000007
【図６】
2006172824.tif 000008